【手続補正書】
【提出日】平成16年2月9日(2004.2.9)
【手続補正１】
【補正対象書類名】明細書
【補正対象項目名】特許請求の範囲
【補正方法】変更
【補正の内容】
【特許請求の範囲】
【請求項１】
頭蓋骨の表面の三次元の座標位置を三次元計測機により計測し、計測した座標位置データを基に頭蓋骨の三次元モデルの画像データを作成し、該作成した頭蓋骨の三次元モデルの画像データから得られる頭蓋骨三次元モデル上の特定の３点を結ぶ三角形と、別途作成した該当者の顔写真の二次元の画像データの前記三次元モデル上の特定の３点に対応する特定の３点を結ぶ三角形とを比較して、二つの三角形が一致するように頭蓋骨三次元モデルの画像データの鉛直軸に対する傾き、大きさ、顔の向きを調整して頭蓋骨と顔写真の一致度合いを照合して、顔写真の人物と頭蓋骨の人物が同一人物であるかどうかを判定することを特徴とする頭蓋骨スーパーインポーズ方法。
【請求項２】
前記頭蓋骨の三次元モデルの画像データから得られる頭蓋骨三次元モデル上の特定の３点を結ぶ三角形と、前記該当者の顔写真の二次元の画像データの特定の３点を結ぶ三角形とを比較して、前記頭蓋骨と該当者の顔写真の二つの三角形が一致するように頭蓋骨三次元モデルの画像データの少なくとも鉛直軸に対する傾斜角度、大きさ、向きの調整及び両画像データの撮影距離の違いに基づいて補正した後の頭蓋骨三次元モデルの画像データを同サイズの二次元画像データに変換し、頭蓋骨の二次元画像データの少なくとも輪郭、眼窩及び鼻骨からなる部位と、該当者の顔写真画像データの少なくとも輪郭、眼、鼻、口及び耳からなる部位から頭蓋骨と顔写真の照合に必要な部位のみをそれぞれ抽出し、各部位の位置関係より両者の一致性を数値的に評価することを特徴とする請求項１記載の頭蓋骨スーパーインポーズ方法。
【請求項３】
前記頭蓋骨の二次元画像データの少なくとも眼窩と、前記該当者の顔写真二次元画像データの少なくとも眼領域を比較して眼の面積が眼窩の面積に含まれる割合から前記頭蓋骨と前記顔写真の一致性を数値的に評価することを特徴とする請求項２記載の頭蓋骨スーパーインポーズ方法。
【請求項４】
互いに比較し得る状態にある頭蓋骨の三次元モデルから得られた二次元画像データと該当者の顔写真から得られる二次元画像データを用いて、頭蓋骨の二次元画像データの少なくとも輪郭、眼窩及び鼻骨からなる部位と、該当者の顔写真二次元画像データの少なくとも輪郭、眼、鼻、口及び耳からなる部位から頭蓋骨と顔写真の照合に必要な部位のみをそれぞれ抽出し、各部位の位置関係より両者の一致性を数値的に評価することを特徴とする頭蓋骨スーパーインポーズ方法。
【請求項５】
頭蓋骨の三次元座標データを得るための三次元計測機と、
該三次元計測機により計測された三次元座標データを基に頭蓋骨の三次元モデルの画像データを作成する三次元モデル作成手段と、
該三次元モデル作成手段で作成した頭蓋骨の三次元モデルの画像データから頭蓋骨三次元モデル上の特定の３点を結ぶ三角形を作成する三角形作成手段と、
該当者顔写真の二次元の画像データの前記三次元モデル上の特定の３点に対応する特定の３点を結ぶ三角形を作成する三角形作成手段と、
前記二つの三角形作成手段で得られた二つの三角形データを比較して、二つの三角形が一致するように頭蓋骨三次元モデルの画像データの鉛直軸に対する傾斜角度、大きさ、向きを調整し、両画像データの撮影距離の違いに基づいて補正する調整手段と、
補正後の頭蓋骨三次元モデルの画像データを同サイズの二次元画像データに変換する二次元化手段と、
該二次元化手段で得られた頭蓋骨の二次元画像データと前記顔写真に基づく二次元の画像データを用いて、頭蓋骨の二次元画像データの少なくとも輪郭、眼窩及び鼻骨からなる部位と、該当者の顔写真二次元画像データの少なくとも輪郭、眼、鼻、口及び耳からなる部位から頭蓋骨と顔写真の照合に必要な部位のみをそれぞれ抽出し、各部位の位置関係より、互いの一致度合いを照合して、顔写真の人物と頭蓋骨の人物が同一人物であるかどうかを判定する判定手段を備えていることを特徴とする頭蓋骨スーパーインポーズ装置。
【請求項６】
互いに比較し得る状態にある頭蓋骨の三次元モデルから得られた二次元画像データと該当者の顔写真から得られる二次元画像データを用いて、頭蓋骨の二次元画像データの少なくとも輪郭、眼窩及び鼻骨からなる部位と、該当者の顔写真二次元画像データの少なくとも輪郭、眼、鼻、口及び耳からなる部位から頭蓋骨と顔写真の照合に必要な部位のみをそれぞれ抽出し、各部位の位置関係より、互いの一致度合いを照合して、顔写真の人物と頭蓋骨の人物が同一人物であるかどうかを判定する判定手段を備えていることを特徴とする頭蓋骨スーパーインポーズ装置。
【手続補正２】
【補正対象書類名】明細書
【補正対象項目名】００１３
【補正方法】変更
【補正の内容】
【００１３】
【課題を解決するための手段】
上記本発明の課題は、次の構成（１）、（２）、（３）及び（４）を採用することにより達成できる。
（１）頭蓋骨の表面の三次元の座標位置を三次元計測機により計測し、計測した座標位置データを基に頭蓋骨の三次元モデルの画像データを作成し、該作成した頭蓋骨の三次元モデルの画像データから得られる頭蓋骨三次元モデル上の特定の３点を結ぶ三角形と、別途作成した該当者の顔写真の二次元の画像データの前記三次元モデル上の特定の３点に対応する特定の３点を結ぶ三角形とを比較して、二つの三角形が一致するように頭蓋骨三次元モデルの画像データの鉛直軸に対する傾き、大きさ、顔の向きを調整して頭蓋骨と顔写真の一致度合いを照合して、顔写真の人物と頭蓋骨の人物が同一人物であるかどうかを判定することを特徴とする頭蓋骨スーパーインポーズ方法。
（２）頭蓋骨の三次元座標データを得るための三次元計測機と、
該三次元計測機により計測された三次元座標データを基に頭蓋骨の三次元モデルの画像データを作成する三次元モデル作成手段と、
該三次元モデル作成手段で作成した頭蓋骨の三次元モデルの画像データから頭蓋骨三次元モデル上の特定の３点を結ぶ三角形を作成する三角形作成手段と、
該当者顔写真の二次元の画像データの前記三次元モデル上の特定の３点に対応する特定の３点を結ぶ三角形を作成する三角形作成手段と、
前記二つの三角形作成手段で得られた二つの三角形データを比較して、二つの三角形が一致するように頭蓋骨三次元モデルの画像データの鉛直軸に対する傾斜角度、大きさ、向きを調整し、両画像データの撮影距離の違いに基づいて補正する調整手段と、
補正後の頭蓋骨三次元モデルの画像データを同サイズの二次元画像データに変換する二次元化手段と、
該二次元化手段で得られた頭蓋骨の二次元画像データと前記顔写真に基づく二次元の画像データを用いて、頭蓋骨の二次元画像データの少なくとも輪郭、眼窩及び鼻骨からなる部位と、該当者の顔写真二次元画像データの少なくとも輪郭、眼、鼻、口及び耳からなる部位から頭蓋骨と顔写真の照合に必要な部位のみをそれぞれ抽出し、各部位の位置関係より、互いの一致度合いを照合して、顔写真の人物と頭蓋骨の人物が同一人物であるかどうかを判定する判定手段を備えている頭蓋骨スーパーインポーズ装置。
（３）互いに比較し得る状態にある頭蓋骨の三次元モデルから得られた二次元画像データと該当者の顔写真から得られる二次元画像データを用いて、頭蓋骨の二次元画像データの少なくとも輪郭、眼窩及び鼻骨からなる部位と、該当者の顔写真二次元画像データの少なくとも輪郭、眼、鼻、口及び耳からなる部位から頭蓋骨と顔写真の照合に必要な部位のみをそれぞれ抽出し、各部位の位置関係より両者の一致性を数値的に評価する頭蓋骨スーパーインポーズ方法。
（４）互いに比較し得る状態にある頭蓋骨の三次元モデルから得られた二次元画像データと該当者の顔写真から得られる二次元画像データを用いて、頭蓋骨の二次元画像データの少なくとも輪郭、眼窩及び鼻骨からなる部位と、該当者の顔写真二次元画像データの少なくとも輪郭、眼、鼻、口及び耳からなる部位から頭蓋骨と顔写真の照合に必要な部位のみをそれぞれ抽出し、各部位の位置関係より、互いの一致度合いを照合して、顔写真の人物と頭蓋骨の人物が同一人物であるかどうかを判定する判定手段を備えている頭蓋骨スーパーインポーズ装置。